(57)【要約】【課題】安定した高い防水機能が得られる部材合せ面の防水構造を提供する。【解決手段】防水パッキング３を２つの部材１、２の合せ面で挟む防水構造において、前記防水パッキング３を先端に向けて幅が狭くなる凸条３ｂの両側に先端に前記合せ面と平行な面を有する凸条３ａ、３ａを設けた形状とした。【選択図】        図１
2006329355.tif 000002
【特許請求の範囲】
【請求項１】
防水パッキングを２つの部材の合せ面で挟む防水構造において、前記防水パッキングを先端に向けて幅が狭くなる凸条の両側に先端に前記合せ面と平行な面を有する凸条を設けた形状としたことを特徴とする部材合せ面の防水構造。
【請求項２】
前記先端に向けて幅が狭くなる凸条の断面を楔形状とした請求項１の部材合せ面の防水構造。
【請求項３】
前記先端に向けて幅が狭くなる凸条の断面を略半円形状とした請求項１の部材合せ面の防水構造。
【請求項４】
２つの部材の夫々の合せ面に夫々当接する凸条を防水パッキングの上下に設けた請求項１から３のいずれかに記載した部材合せ面の防水構造。
【発明の詳細な説明】
【技術分野】
【０００１】
この発明は部材合せ面の防水構造に関する。
【背景技術】
【０００２】
従来の部材合せ面の防水構造の例を図４および図５により説明する。この例では図４に示すように、上部材１と下部材２との対向する両平面の間に防水パッキング６を配置した後、図５に示すように、上部材１と下部材２を接近させて防水パッキング６を圧縮し、防水パッキング６の楔形状の凸条６ａを弾性変形させて上部材１に密接させて防水機能を得る。
【０００３】
この従来の部材合せ面の防水構造では防水パッキング６の楔形状の凸条６ａを圧縮変形させるため、この変形に伴って防水パッキング６全体が変形し、図５の矢印Ａで示すように防水パッキング６の下面の縁が上がり凸条６ａを支えにくくなり、安定した防水機能が得られない場合があった。
【０００４】
特開２０００−５９８７３号に示された防水構造では防水パッキングの鰭状部が変形することにより鰭状部の弾力により鰭状部がリアケースと密接して防水機能を得ている。この防水構造では、防水パッキングの弾力による十分な圧接力が得にくく、高い防水機能が得られないという問題があった。
【特許文献１】特開２０００−５９８７３号公報、段落０００９、図２
【発明の開示】
【発明が解決しようとする課題】
【０００５】
この発明は上記した点に鑑みてなされたものであって、その目的とするところは、安定した高い防水機能が得られる部材合せ面の防水構造を提供することにある。
【課題を解決するための手段】
【０００６】
この発明の部材合せ面の防水構造は、防水パッキングを２つの部材の合せ面で挟む防水構造において、前記防水パッキングを先端に向けて幅が狭くなる凸条の両側に先端に前記合せ面と平行な面を有する凸条を設けた形状としたものである。
【０００７】
また、前記部材合せ面の防水構造において、前記先端に向けて幅が狭くなる凸条の断面を楔形状としたものである。
【０００８】
また、同部材合せ面の防水構造において、前記先端に向けて幅が狭くなる凸条の断面を略半円形状としたものである。
【０００９】
また、前記各部材合せ面の防水構造において、前記２つの部材の夫々の合せ面に夫々当接する凸条を防水パッキングの上下に設けたものである。
【発明の効果】
【００１０】
この発明の部材合せ面の防水構造によれば、安定した高い防水機能が得られる。
【発明を実施するための最良の形態】
【００１１】
以下この発明を実施するための最良の形態を実施例に即して説明する。
【実施例１】
【００１２】
図１はこの発明の実施例１である部材合せ面の防水構造を切断した状態を示す斜視図である。図１に示すように上部材１とした下部材２との対向する両平面の間に防水パッキング３を配置した後、上部材１とした下部材２を接近させて防水パッキング３を圧縮し、防水パッキング３の楔形状の凸条３ｂを弾性変形させて上部材１に密接させて防水機能を得る。
【００１３】
楔形状の凸条３ｂの先端は幅が狭くなっているので上部材１に極めて蜜に密接して高い防水機能が得られる。そして、楔形状の凸条３ｂの両側に上部材１の合せ面と平行な面を有する凸条３ａ、３ａが設けられているので防水パッキング３の圧縮が偏らず防水パッキング３の形状が安定し、安定した防水機能が得られる。凸条３ｂ、３ｂは防水パッキング３の不安定な変形を防止する上に、凸条３ｂ、３ｂの間に侵入してくる水の勢いを和らげる機能も有する。
【実施例２】
【００１４】
図２はこの発明の実施例２である部材合せ面の防水構造を切断した状態を示す斜視図である。図２に示すように上部材１とした下部材２との対向する両平面の間に防水パッキング４を配置した後、上部材１とした下部材２を接近させて防水パッキング４を圧縮し、防水パッキング４の上下に設けられた楔形状の凸条４ｂ、４ｂを弾性変形させて上部材１および下部材２に密接させて防水機能を得る。
【００１５】
楔形状の凸条４ｂの先端は幅が狭くなっているので上部材１および下部材２に極めて蜜に密接して高い防水機能が得られる。そして、防水パッキング４の上下の楔形状の凸条４ｂの両側に上部材１および下部材２の合せ面と平行な面を有する凸条４ａ、４ａ…が設けられているので防水パッキング４の圧縮が偏らず防水パッキング４の形状が安定し、防水パッキング４の上下の側で安定した高い防水機能が得られる。凸条４ｂ、４ｂは防水パッキング４の不安定な変形を防止する上に、凸条３ｂ、３ｂの間に侵入してくる水の勢いを和らげる機能も有する。
【実施例３】
【００１６】
図３はこの発明の実施例３である部材合せ面の防水構造を切断した状態を示す斜視図である。図３に示すように上部材１とした下部材２との対向する両平面の間に防水パッキング５を配置した後、上部材１とした下部材２を接近させて防水パッキング５を圧縮し、防水パッキング５の上下に設けられた断面半円形状の凸条５ｂ、５ｂを弾性変形させて上部材１および下部材２に密接させて防水機能を得る。
【００１７】
断面半円形状の凸条５ｂの先端は幅が狭くなっているので上部材１および下部材２に極めて蜜に密接して高い防水機能が得られる。そして、防水パッキング５の上下の断面半円形状の凸条５ｂの両側に上部材１および下部材２の合せ面と平行な面を有する凸条５ａ、５ａ…が設けられているので防水パッキング５の圧縮が偏らず防水パッキング５の形状が安定し、防水パッキング５の上下の側で安定した高い防水機能が得られる。凸条５ｂ、５ｂ…は防水パッキング４の不安定な変形を防止する上に、凸条３ｂ、３ｂの間に侵入してくる水の勢いを和らげる機能も有する。
【００１８】
この例では、凸条５ｂの先端が尖っていないので、変形や削れが生じにくく、防水パッキング５を繰り返し使用しても防水機能が劣化しない。
【００１９】
実施例は以上のように構成されているが発明はこれに限られず、例えば、防水パッキングの一方の面のみに断面半円形状の凸条を設けてもこの発明の効果が得られる。
【図面の簡単な説明】
【００２０】
【図１】この発明の実施例１である部材合せ面の防水構造を切断した状態を示す斜視図である。
【図２】この発明の実施例２である部材合せ面の防水構造を切断した状態を示す斜視図である。
【図３】この発明の実施例３である部材合せ面の防水構造を切断した状態を示す斜視図である。
【図４】従来の部材合せ面の防水構造の例を切断した状態を示す斜視図である。
【図５】同防水構造の例を切断した他の状態を示す斜視図である。
【符号の説明】
【００２１】
１  上部材
２  下部材
３  防水パッキング、３ａ  凸条、３ｂ  凸条
４  防水パッキング、４ａ  凸条、４ｂ  凸条
５  防水パッキング、５ａ  凸条、５ｂ  凸条
６  防水パッキング、６ａ  凸条
【図１】
2006329355.tif 000003
【図２】
2006329355.tif 000004
【図３】
2006329355.tif 000005
【図４】
2006329355.tif 000006
【図５】
2006329355.tif 000007